(57)【要約】【課題】オーダーデータ保存部の残容量が少なくなってきた場合でも、新規のオーダーデータの保存を確実に行なわせるプリント処理システムを提供する。【解決手段】写真プリントを作成するための画像データを保存するスプーラ６ａと、スプーラ６ａに保存されているオーダーデータに対するプリント処理を指令するプリント処理制御部５ｂと、プリント処理されたオーダーデータをスプーラ６ａから削除するオーダーデータ削除部５ｃと、スプーラ６ａの残容量が所定容量以下か否かを判定する残容量判定部５ｄと、所定容量以下の場合に、データ量の最も大きなオーダーデータを検索するデータ検索部５ｅと、この検索されたオーダーデータを次にプリント処理すべきオーダーとして決定する処理オーダー決定部５ｆとを備えている。処理オーダー決定部５ｆは、仕上がり予想時間が顧客引渡し時間を超えない場合に、検索されたオーダーデータを次に処理すべきオーダーデータとして決定する。【選択図】図２
2007090829.tif 000002
【特許請求の範囲】
【請求項１】
写真プリントを作成するための画像データを含むオーダーデータをオーダー単位で保存するオーダーデータ保存部と、
オーダーデータ保存部に保存されているオーダーデータに対するプリント処理を指令するプリント処理制御部と、
プリント処理されたオーダーデータをオーダーデータ保存部から削除するオーダーデータ削除部と、
オーダーデータ保存部の残容量が所定容量以下か否かを判定する残容量判定部と、
残容量判定部により所定容量以下と判定された場合に、データ量の最も大きなオーダーデータを検索するデータ検索部と、
データ検索部により検索されたオーダーデータを次にプリント処理すべきオーダーデータとして決定する処理オーダー決定部とを備えていることを特徴とするプリント処理システム。
【請求項２】
オーダーデータ保存部にオーダーデータを保存するに際して、オーダー仕上がり予想時間と、顧客引渡し時間を設定する処理時間設定部と、
データ検索部により検索されたオーダーデータを先に処理した場合、他のオーダーの仕上がり予想時間を再演算する再演算部と、
再演算された仕上がり予想時間が顧客引渡し時間を超えるか否かを判定する仕上がり判定部とを備え、
前記処理オーダー決定部は、仕上がり予想時間が顧客引渡し時間を超えない場合に、検索されたオーダーデータを次に処理すべきオーダーデータとして決定することを特徴とする請求項１に記載のプリント処理システム。
【発明の詳細な説明】
【技術分野】
【０００１】
本発明は、写真プリントを作成するための画像データを含むオーダーデータをオーダー単位で保存するオーダーデータ保存部の容量を確保可能なプリント処理システムに関するものである。
【背景技術】
【０００２】
写真プリントを作成するプリント処理システムにおいては、適宜の画像形成媒体から画像データを取得し、画像データを含むオーダーデータはオーダー単位でオーダーデータ保存部に一旦保存される。ここで、１オーダーとは、ネガフィルム１本に含まれる画像データ、記録メディア１個に格納される画像データのことを指す。従前は、画像形成媒体としての現像済みネガフィルムに形成されているコマ画像をフィルムスキャナーで読み取り、この読み取られた画像データに基づいて、写真プリントを作成するケースが多かった。
【０００３】
しかしながら、近年においてはデジタルカメラがかなり普及してきており、デジタルカメラにより撮影された画像に基づいて、写真プリントの依頼を受けるようなケースが多くなって来ている。特に、プロカメラマンやハイエンドアマチュア向けのデジタルカメラでは、有効画素数が増大してきており、１枚あたりの画像データのデータサイズが大きくなって来ている。また、ＪＰＥＧ圧縮による画質の劣化を避けるために、画像データをｒａｗファイルや非圧縮のＴＩＦＦファイルで保存するケースも増えてきており、この点もデータサイズが大きくなる要因となっている。
【０００４】
従って、オーダーデータ保存部に保存されるオーダーデータ（１オーダー分の画像データ群及びこれに付随する付帯データ）は、一般的な顧客からの注文に係るオーダーデータ（比較的データサイズが小さい）と、ハイエンドアマチュア等からの注文に係るオーダーデータ（比較的データサイズが大きい）が混在した状態となっている。
【０００５】
このようにデータサイズの大きなオーダーデータが保存される状況において、オーダーデータ保存部の残容量が少なくなってしまうようなケースが生じ、新規のオーダーデータをオーダーデータ保存部に登録・保存しようとしても、残容量が少ないため保存できないというケースが生じていた。
【０００６】
データを保存する保存部の残容量が少なくなった場合の課題を解決した先行技術として、下記特許文献１に開示されるデジタルカメラが提案されている。このデジタルカメラは画像の重要度を選択する重要度選択スイッチを備えており、この重要度情報を画像データをメモリに保存するときに関連付けて保存する。この画像データを保存するメモリの残容量が不足してきた場合、重要度の低い画像を自動的に消去して容量を確保し、新規の画像データを保存可能に構成している。
【０００７】
【特許文献１】特開２００２−２６２２２１号公報
【発明の開示】
【発明が解決しようとする課題】
【０００８】
しかしながら、このデジタルカメラに用いられている技術は、本発明のようなプリント処理システムに適用することは困難である。オーダーデータ保存部に保存されているオーダーデータは、これからプリント処理を行なうために保存されているものであり、これをプリント処理する前にオーダーデータ保存部から消去してしまうと、消去したオーダーデータを再度取得する必要が生じてしまい、無駄な処理や作業が増えてしまう。また、プリント処理システムにおいては、オーダー単位でデータを扱っているため、１枚あるいは数枚の画像データを消去したところで、新たなオーダーデータを保存するための容量を確保することは難しい。
【０００９】
本発明は上記実情に鑑みてなされたものであり、その課題は、オーダーデータ保存部の残容量が少なくなってきた場合でも、新規のオーダーデータの保存を確実に行なわせるプリント処理システムを提供することである。
【課題を解決するための手段】
【００１０】
上記課題を解決するため本発明に係るプリント処理システムは、
写真プリントを作成するための画像データを含むオーダーデータをオーダー単位で保存するオーダーデータ保存部と、
オーダーデータ保存部に保存されているオーダーデータに対するプリント処理を指令するプリント処理制御部と、
プリント処理されたオーダーデータをオーダーデータ保存部から削除するオーダーデータ削除部と、
オーダーデータ保存部の残容量が所定容量以下か否かを判定する残容量判定部と、
残容量判定部により所定容量以下と判定された場合に、データ量の最も大きなオーダーデータを検索するデータ検索部と、
データ検索部により検索されたオーダーデータを次にプリント処理すべきオーダーデータとして決定する処理オーダー決定部とを備えていることを特徴とするものである。
【００１１】
かかる構成によるプリント処理システムの作用・効果を説明する。オーダーデータ保存部にはオーダー単位で画像データが保存される。プリント処理制御部は、オーダーデータ保存部に保存されているオーダーデータに対してプリント処理を指令し、プリント処理されたオーダーデータは、オーダーデータ保存部から削除される。実際に削除するタイミングについては、プリント処理用のオーダーデータがオーダーデータ保存部から全て転送されたとき、オーダーデータに基づく写真プリントの露光処理が全て完了したとき、１オーダー分の写真プリントの装置本体からの排出を全て確認したとき、など適宜設定することができる。
【００１２】
残容量判定部は、オーダーデータ保存部の残容量が所定容量以下か否かを判定する。所定容量以下と判定された場合は、データ量の最も大きなオーダーデータを検索し、このオーダーデータを次に処理すべきオーダーデータとして決定することができる。従って、このオーダーデータをプリント処理すれば、上記のタイミングでオーダーデータ保存部から削除されるため、オーダーデータ保存部の残容量を増やすことができる。特に、データ量の最も大きなオーダーデータが削除できるため、新規のオーダーデータの保存にあたり、十分な残容量を確保することが期待できる。その結果、オーダーデータ保存部の残容量が少なくなってきた場合でも、新規のオーダーデータの保存を確実に行なわせるプリント処理システムを提供することができる。
【００１３】
本発明において、オーダーデータ保存部にオーダーデータを保存するに際して、オーダー仕上がり予想時間と、顧客引渡し時間を設定する処理時間設定部と、
データ検索部により検索されたオーダーデータを先に処理した場合、他のオーダーの仕上がり予想時間を再演算する再演算部と、
再演算された仕上がり予想時間が顧客引渡し時間を超えるか否かを判定する仕上がり判定部とを備え、
前記処理オーダー決定部は、仕上がり予想時間が顧客引渡し時間を超えない場合に、検索されたオーダーデータを次に処理すべきオーダーデータとして決定することが好ましい。
【００１４】
データ量の大きなオーダーデータを先にプリント処理しようとすると、他のオーダーデータに関しては、その後にプリント処理されることになる。この場合、後に回されたプリント処理が顧客への顧客引渡し時間を超えてしまうと、当該顧客への信頼を損ねてしまうことになる。そこで、再演算された仕上がり予想時間が顧客引渡し時間を超えない場合に限り、データ量の大きなオーダーデータを先にプリント処理するようにし、顧客への信頼を確保する。
【発明を実施するための最良の形態】
【００１５】
本発明に係る写真処理システムの好適な実施形態を図面を用いて説明する。図１は、システム全体の構成を示す模式図である。
【００１６】
＜システムの全体構成＞
図１において、写真処理装置１００は、取得されたデジタルの画像データに基づいて、写真プリントを作成する機能を有する。画像データは、写真処理装置１００に設けられるフィルムスキャナーから取得される現像済みネガフィルムのコマ画像の画像データや、ネットワーク経由で送信されてくる画像データなどがあげられる。
【００１７】
受付端末２０は、店頭に設置され、デジタルカメラの記録メディアやその他の記録メディアに格納された画像データを受け付けることができる。記録メディアの種類としては、コンパクトフラッシュ（登録商標）、スマートメディア（登録商標）、メモリスティック（登録商標）、ＣＤ−Ｒ、ＤＶＤ−Ｒなどが例としてあげられる。受付端末２０は、主として顧客により操作されるものであり、顧客が自分で持参した記録メディアを挿入し、プリント処理の対象となる画像データの選択、プリント枚数、プリントサイズの設定などを行うことができる。もちろん、店員が受付端末２０を操作するようにしてもよい。
【００１８】
記録装置４０は、写真処理装置１００が取得した画像データをＣＤ−Ｒ、ＤＶＤ−Ｒ等の記録メディアに書き込む機能を有する。ネット受付端末５０（パソコンにより構成）は、インターネット経由でのプリント注文に係る画像データを受け付ける機能を有する。写真処理装置１００、受付端末２０、記録装置４０、ネット受付端末５０は、ネットワーク（例えば、ＬＡＮ）により接続されている。また、写真処理装置１００、受付端末２０、記録装置４０、ネット受付端末５０の設置台数は１台に限定されるものではなく、必要に応じて複数台を設置することができる。
【００１９】
インターネット上に設置されるサーバー６０は、オンラインでのプリント注文を受け付ける機能を提供する。プリント注文を行なう場合は、インターネットに接続されるパソコン７０から、プリント処理に係る画像データをアップロードすると、サーバー６０に画像データが保存される。ネット受付端末５０から、当該画像データをサーバー６０からダウンロードすることで、プリント処理を行なうことができる。オンラインでプリント処理を受け付けるシステムについては、公知のシステムを利用することができる。
【００２０】
＜写真処理システムの機能ブロック構成＞
図２は、写真処理システムの中心をなす写真処理装置１００の機能を示すブロック図である。フィルムスキャナー１は、現像済みネガフィルム（写真フィルム）に形成されているコマ画像をスキャニングしてデジタルの画像データを取得する。画像取得部２は、主としてネットワーク経由で送信されてくる画像データを取得する。ネットワークを介して通信を行なうために通信制御部３が設けられる。画像取得部２が取得する画像データは、デジタルカメラの記録メディアに格納されていた画像データや、インターネットサーバー６０に保存されていた画像データである。なお、写真処理装置１００自身に記録メディアを装着することができるようにし、直接記録メディアから画像データを取得できるように構成してもよい。
【００２１】
＜画像判定部の構成＞
画像判定部４は、取得した画像データに対する判定をオペレータが行なうための機能を提供し、かかる機能は主としてソフトウェアにより提供される。これは、画像データに基づいて写真プリントを作成する前に、適切な画質の写真プリントが作成されるか否かを判定するものであり、かかる作業をプレジャッジと称することとする。画像判定部４には、補正データ設定部４ａ、プリントデータ設定部４ｂ、サムネイル画像作成部４ｃが主たる機能として設けられており、これを図３を参照しながら説明する。なお、プレジャッジは必ず行なわなければならないものではなく、プレジャッジを省略してプリント処理を行うことも可能である。
【００２２】
図３は、プレジャッジを行なうためのモニター画面の構成例を示す図である。画面には、プリント処理の対象となるコマ画像が６コマごとに表示される。プレジャッジの対象となっているコマ画像は、画像選択枠３０で囲まれた状態となっている。コマ画像のコマ番号はコマ番号表示欄３１に表示される。写真プリントのプリントサイズについては、プリントサイズ表示欄３２に表示される。プリント枚数は、プリント枚数設定欄３３にて設定することができる。色補正データ設定欄３４と、濃度補正データ設定欄３５には、色や濃度の補正データを入力することができる。補正データ設定部４ａは、上記のような色や濃度を補正するための補正データを入力する機能を提供するものであり、かかる補正データの入力は必要に応じて設定される。その他の補正データの設定としては、赤目補正、逆光補正などの特殊補正の設定が例としてあげられる。
【００２３】
プリント枚数の設定としては、フィルムスキャナー１から取得した画像データに関してはデフォルトで１が設定されているが、オペレータの入力操作により変更することができる。また、ネットワーク経由で取得した画像データについては、顧客により注文にかかるプリント枚数が既に設定されているため、オペレータにより設定変更できないようにすることが好ましい。このプリント枚数の設定データは、プリントデータに含まれるものであり、プリントデータ設定部４ｂの機能により提供される。プリントデータには、プリント枚数の他にプリントサイズ、ペーパー面質（光沢面や絹目など）、縁有りプリントか否かについても含まれるものとする。
【００２４】
図３に示されるコマ画像は、サムネイル画像であり、取得した画像データを縮小処理することで得られるものである。画像取得部２が取得した画像データの場合は、取得したオリジナルの画像データに基づいてサムネイル画像を作成することができる。フィルムスキャナー１からネガフィルムの画像データを取得する場合は、ネガフィルムをプレスキャンした画像データに基づいて、サムネイル画像を作成することができる。
【００２５】
ここで、ネガフィルムのスキャニング態様であるプレスキャンと本スキャンについて説明する。プレスキャンとは、現像済みネガフィルムの画像を粗い画素数で読み取る処理のことであり、前述のサムネイル画像を表示させるために行われる。プレジャッジを行う場合は、高解像度の画像データが不要であり、読み取り処理時間を短縮化するために、粗い画素数でスキャニングする。
【００２６】
本スキャンとは、ネガフィルムの各コマ画像を高解像度で読み取るための処理であり、実際に写真プリントを作成するために用いられる画像データである。画質のよい写真プリントを作成するために高解像度でコマ画像を読み取る。また、本スキャンの際には、プリント枚数が０と設定されたコマ画像については、読み取りを行わない。
【００２７】
＜オーダー制御部の構成＞
オーダー制御部５は、プリント処理すべき画像データをオーダー単位に管理する機能を提供する。ここで１オーダーとは、フィルム１本分あるいは記録メディア１個分についてのプリント注文に係る画像データ群を指すものであるが、これに限定されるものではなく、１オーダーの概念はオペレータにより適宜設定することができる。
【００２８】
オーダー登録部５ａは、画像判定部４によりプレジャッジの終了したオーダーデータを記憶装置６に登録・保存する機能を有する。記憶装置６は概念的に、スプーラ６ａ（オーダーデータ保存部に相当）と呼ばれる部分と、その他の記憶部６ｂとで構成される。プリント処理すべきオーダーデータは、すべてスプーラ６ａに保存される。従って、スプーラ６ａにオーダーデータを保存することでオーダーの管理を行なうことができ、プリント処理の順番や割り込みなどの制御を行なうことができる。スプーラ６ａと、記憶部６ｂは、いずれもハードディスクのような大容量記憶装置により構成することができるが、スプーラ６ａと記憶部６ｂは、ハードウェア的に別々のハードディスクにより構成してもよいし、１つのハードディスクの記憶領域を分割して、スプーラ６ａとして機能する領域と、それ以外の領域を形成してもよい。
【００２９】
なお、オーダーデータとは１オーダー分のデータのことを指すが、１オーダーに含まれる画像データ群と、プレジャッジにより設定された補正データやプリント枚数などのプリントデータ、オーダーを特定するデータ（オーダー識別ＩＤ、顧客の氏名、住所、会員ＩＤなどのデータ）により構成される。ただし、オーダーデータのデータ量は大半が画像データにより決まるため、オーダーデータのデータ量は画像データのデータ量であると考えても問題はない。なお、ネガフィルムから取得した画像データの場合には、本スキャンの画像データのみならずプレスキャンの画像データも合わせてオーダーデータとして保存しておくことが好ましい。
【００３０】
プリント処理制御部５ｂは、プリント処理の対象となるオーダーのオーダーデータをプリント処理するように指令を与える。図４は、オーダー管理画面の構成例を示す図であり、処理待ちオーダーのリストと、完了済みオーダーのリストが表示されている。処理待ちオーダーのリストには、基本的にはプリント処理が行なわれる順番にオーダーのリストが表示されている。状態表示欄には、オーダーの処理状態が示されており、１番上のオーダーがプリント処理中であること、その他のオーダーについてはプリント処理待ちの状態であることが示されている。プリント処理が完了すると、完了済みオーダーの表示欄へと移行し、状態表示もプリント処理完了に変わる。
【００３１】
オーダーデータ削除部５ｃは、プリント処理が完了したオーダーデータをスプーラ６ａから削除する。これにより、スプーラ６ａの保存容量を確保できるようにする。データを削除する場合、スプーラ６ａのオーダーデータを完全に削除するようにしても良いし、後日の焼き増し処理の依頼に備えて、記憶部６ｂやその他の外部記憶装置にオーダーデータを移動するようにしてもよい。
【００３２】
残容量判定部５ｄは、スプーラ６ａの保存容量の残容量が所定容量以下か否かを判定する。オーダー登録部５ａにより、新規のオーダーデータを保存しようとした場合、残容量が少ないとオーダーの新規登録ができなくなることがある。特に、特急仕上げすべきオーダーを登録しようとするときに、残容量が少ないために登録ができないと、納期通りに写真プリントの作成ができなくなることがある。そこで、残容量を常時監視するようにしておき、所定の残容量が確保できているか否かを判定する機能を設けている。
【００３３】
データ検索部５ｅは、スプーラ６ａの残容量が所定容量以下と判定された場合、処理待ちのオーダーのうち、データ量の最も大きなオーダーデータを検索する。図４に表示されている例だと、受け付けＮｏ２９のオーダーは、オーダーデータのサイズが５０．０ＭＢであり最も大きくなっており、検索結果、このオーダーが検索・抽出される。なお、ここでいうオーダーデータのサイズは、画像データのみで構成されるデータ量としてもよいし、画像データと、画像データに付随する付帯データ（前述のプリントデータや、オーダーを特定するデータ）のトータルのデータ量としてもよい。付帯データは、データサイズが小さいため、いずれで扱ってもよい。
【００３４】
処理オーダー決定部５ｆは、検索された最もデータ量が大きなオーダーデータを次にプリント処理すべきオーダーとして決定する。現在処理中のオーダーはＮｏ２１であるが、この次にＮｏ２９のオーダーを繰り上げてプリント処理を行なうようにする。これは、オーダーデータのサイズが大きなオーダーを優先的に処理することで、スプーラ６ａの残容量をより回復することができるからである。ただし、上記決定は、以下説明する再演算部５ｅの演算結果に基づいて行なわれる。
【００３５】
再演算部５ｇは、データ量の大きなオーダーを優先的に処理した場合に、その他のオーダーの仕上がり予想時間の演算をしなおす。各オーダーは、顧客に対して仕上がりの写真プリントを引き渡す時間（納期）が設定されているため、仕上がり予想時間が顧客引渡し時間を超えないようにしなければならない。このような仕上がり予想時間や顧客引渡し時間（図４の表示を参照）については、処理時間設定部５ｈにより設定されたデータに基づいて、演算される（詳細は後述）。仕上がり判定部５ｉは、再演算部５ｇによる演算結果に基づいて、後回しにされた他のオーダーの仕上がり予想時間が顧客引渡し時間を超えるか否かを判定する。
【００３６】
従って、前述の処理オーダー決定部５ｆは、仕上がり予想時間が顧客引渡し時間を超えない場合には、データ検索部５ｅにより検索されたデータ量の大きなオーダーを次にプリント処理すべきオーダーとして最終決定する。仮に、仕上がり予想時間が顧客引渡し時間を超えてしまうという結果が得られた場合は、上記の決定は行なわず、受付Ｎｏに従った順番でプリント処理が行なわれる。
【００３７】
図４の画面構成例について更に説明すると、画面右上に残容量が表示され、新規のオーダーを登録するときの目安にしたり、残容量の確認を行なうことができる。また、オーダー数として「１５」が表示されており、これはプリント処理待ちのオーダー数を示している。また、待ち時間として「２０分」が表示されており、プリント処理待ちのオーダーを全て処理するのに要する時間が表示されている。オペレータは、この表示を見て、新規のオーダーが処理されるおよその時間を認識することができる。
【００３８】
図２に戻り、モニター７は、プレジャッジを行なうための画面（図３参照）やオーダー管理画面等を表示させるものであり、プリント処理等を行うために必要な画面を提供する。入力操作部８は、キーボードやマウス等により構成され、プリント処理に必要なデータ入力や設定、各種指令を行う。
【００３９】
画像処理基板９は、スプーラ６ａから画像データと補正データを受け取り、補正データに基づいて画像データに対する画像処理を行い、写真プリントを作成するために用いられるプリント用画像データを生成する。画像処理基板９は、受信メモリ、処理回路部、展開メモリにより構成され、処理回路部において指定された画像処理が行なわれる。具体的には、補正データに基づく色・濃度の補正、設定されたプリントサイズに従ったデータの拡縮処理などである。
【００４０】
次に、図２においてプリント処理部の構成を簡単に説明する。ペーパーマガジン１０には、写真感光材料であるペーパーがロール状に収容されている。ペーパーマガジン１０は、２台を設置することができ、例えば、ペーパー幅の異なるペーパーを予めセットしておくことができる。ペーパーカッター１１は、ペーパーマガジン１０から引き出された長尺状のペーパーを設定されたプリントサイズになるように切断する。
【００４１】
露光エンジン１２は、画像処理基板９の展開メモリから送信されてくるプリント用画像データを受け取り、このプリント用画像データに基づいて、ペーパーの乳剤面に画像を焼付露光する。露光エンジン１２としては、特定の方式のものに限定されるものではなく、例えば、レーザーエンジン、ＣＲＴエンジン、ＰＬＺＴエンジンなどを用いることができる。
【００４２】
現像処理部１３は、画像が焼付露光されたペーパーの現像処理を行い、乾燥処理部１４は、現像処理されたペーパーの乾燥処理を行なう。ペーパー排出部１５から仕上がりの写真プリントが装置本体外部に排出され、所定の集積装置によりオーダー単位で集積される。
【００４３】
ペーパーセンサー１６は、ペーパー排出部１５から排出されるペーパーを検出し、あるオーダーの写真プリントが全て排出されたか否かを検出する。センサー制御部１７は、ペーパーセンサー１６の駆動制御を行なうと共に、ペーパーセンサー１６からの信号を受信して解析する。オーダー制御部５のオーダーデータ削除部５ｃは、あるオーダーについての写真プリントが全て排出されたとセンサー制御部１７により検出された場合、そのオーダーについてのオーダーデータをスプーラ６ａから削除するようにする。
【００４４】
＜オーダー管理の設定画面＞
次に、オーダー制御部５によりオーダーの管理を行う場合の設定画面の一例を図５に示す。ネットオーダーモードの設定欄２５は、有効もしくは無効の設定を行うことができ、有効を選択することで受付端末２０からのオーダーを受け付けることができる。
【００４５】
データ保存設定欄２１では、オーダーデータを保存するスプーラ６ａに関する設定を行うことができる。ドライブ設定欄２１はスプーラ６ａを配置するドライブを指定することができる。一度指定したドライブを変更することもできる。スプーラ容量設定欄２１ｂには、スプーラ６ａとして使用する領域の要領を設定することができる。プリント処理をスムーズに行なうのに必要な容量（例えば、３ＧＢ）を設定することができる。残容量が少なくなってきた場合、この設定値を増やすことで対処することもできる。スプーラ使用容量表示欄２１ｃには、スプーラ６ａに保存されている全オーダーデータのデータ量を表示する。
【００４６】
リオーダー用保存容量設定欄２１ｄは、リオーダー用（焼き増し用など）に設定する保存容量を設定することができる。この保存容量は、スプーラ６ａとは別の記憶部６ｂに保存領域を確保することができる。これは、後日焼き増しプリントの依頼を受けた場合、リオーダー用に確保された領域からオーダーデータを読み出すことで、直ちにプリント処理を開始できるという利点がある。従って、フィルムスキャナー１による画像データの読み取り動作などが不要になり、効率よく作業を行うことができる。リオーダー用に確保されたオーダーデータは、所定期間保存され、所定期間が経過した後に削除される。完了済みオーダー保存容量表示欄２１ｅには、リオーダー用に保存されている全オーダーデータのデータ量が表示される。
【００４７】
ソート対象データ設定欄２２は、図４に示したオーダーリストを表示するソート順の基準について設定を行う欄である。通常は図４に例示するように「受付日時」が選択される。受付日時を選択した場合、オーダーリストには受け付け順に各オーダーが表示され、基本的に受け付け順にプリント処理が行われていく。基準として「マガジン」を選択することもでき、マガジンに対して付与されているマガジンコード順にソートされる。ただし、装置本体に装着可能なマガジンは２種類であるため、現在装着されているマガジンが上位にソートされる。
【００４８】
仕上がり予定時間設定エリア２３は、処理時間設定部５ｈとして機能するものであり、仕上がり予想時間を演算するために必要なデータを設定入力する。このエリア２３は、オーダーの仕上がり時間を演算するために、写真プリント出力の予定時間等を設定するものであり、各写真店の事情に合わせて設定することができる。演算された仕上がり予想時間は、図４に示したリストに表示される。予想時間は、仕上がりの時刻で表示しても良いし、オーダーを受け付けてからオーダーが仕上がるまでに要する処理時間を表示してもよい。オーダーの受付時点とは、例えば、記録メディアを受付端末２０に装着して受付処理を完了した時点、プレジャッジ作業を開始した時点、スプーラ６ａに新規オーダーを登録した時点など適宜定義することができる。オーダーの仕上がり時点とは、１オーダー分の写真プリントが全て装置外部に排出された時点、集積装置に集積された時点など適宜定義することができる。このような定義は、写真店ごとに決めることができる。
【００４９】
エリア２３ａには、標準プリントサイズ（図例はＬ判）で２４コマ分プリントするのに要する時間を設定する。エリア２３ｂには、標準プリントサイズよりも大きな大サイズ（図例では６つ切）で１２コマ分プリントするのに要する時間を設定する。エリア２３ｃには、特大サイズ（長尺サイズ）で８コマ分プリントするのに要する時間を設定する。エリア２３ｄには、記録装置４０を利用してＣＤ−Ｒ１枚に画像データを書き込む時間を設定する。エリア２３ｅには、顧客に仕上がり写真プリントを渡すまでの時間を設定する。これは、オペレータが写真プリントをＤＰ袋に袋詰めする時間などを考慮して設定する。
【００５０】
余裕時間設定エリア２４には、余裕時間を優先度ごとに設定するものであり、優先度には「特急仕上げ」「通常仕上げ」「ゆっくり仕上げ」の３段階があるが、更に段階を増やしてもよい。このような優先度は顧客からの要望に基づいてオーダーごとに設定されるものである。余裕時間とは、ペーパーマガジン１０の交換に備えた予備時間、割り込みオーダーに備えた予備時間、トラブルに備えた予備時間などが含まれる。そして、各エリア２４ａ〜２４ｃには、各優先度が指定されたオーダーに対する余裕時間を設定することができ、優先度が低くなるほど余裕時間を大きく設定する。
【００５１】
＜プリント処理の手順＞
次に、プリント処理を行う場合の処理手順を図６のフローチャートにより説明する。まず、スプーラ６ａの容量が所定容量以下か否かを判定する（＃１）。これは、図５で説明した設定欄２１ｂにおいて設定した値に基づいて、判定することができる。容量が十分に確保されている状態であれば、図４に表示されている順番でプリント処理が行われる（＃６）。
【００５２】
所定容量以下になった場合は、データ量が最も大きなオーダーデータを有するオーダー（Ａ）を検索する（＃２）。このオーダー（Ａ）を他のオーダーに優先してプリント処理をした場合、他のオーダーの仕上がり予想時間が顧客引渡し時間を超えるか否かを再演算して判定する（＃３）。顧客引渡し時間を超えると判定された場合は、ステップ＃６に移行し、通常の順番でプリント処理を行なう。オーダー（Ａ）を優先的に処理したとしても、他のオーダーの顧客引渡し時間に影響がなければ、オーダー（Ａ）を先にプリント処理をする（＃４）。プリント処理が終了すると、そのオーダー（Ａ）のオーダーデータをスプーラ６ａから削除する（＃５）。これにより、スプーラ６ａの保存容量を確保することができる。その結果、スプーラ６ａの保存容量を所定容量以上確保できるようにプリント処理を進めることができるので、保存容量が不足しているために、新規オーダーを登録できないという事態を抑制することができる。
【００５３】
＜別実施形態＞
本実施形態において、ネガフィルムからプリント処理を行なうオーダーと、受付端末２０で注文を受け付けた記録メディアからのプリント処理を行なうオーダーとを混在させて処理することもできるが、これを別々に行なわせることもできる。すなわち、写真処理装置１００におけるプリント処理モードとして、通常モードとネットモードを切り換えるようにし、通常モードでは写真処理装置１００自身で受け付けたネガフィルムからのプリント処理のみを行なうようにし、ネットモードでは受付端末２０やネット受付端末５０で受け付けたオーダーのプリント処理のみを行なうように構成してもよい。この場合は、夫々のモードにおいて本発明の構成を適用することができる。また、夫々のモード用にスプーラ６ａを別々に設けてもよい。
【００５４】
データ検索部５ｅにより検索されたデータ量の最も大きなオーダーデータが複数存在する場合は、受付順序が最も早いオーダーを優先的にプリント処理するようにすることができる。
【図面の簡単な説明】
【００５５】
【図１】写真処理システムの構成を示す概念図
【図２】写真処理装置の機能を示すブロック図
【図３】プレジャッジ画面の構成例を示す図
【図４】オーダー管理画面の構成例を示す図
【図５】オーダー管理の設定画面の構成例を示す図
【図６】プリント処理の手順を示すフローチャート
【符号の説明】
【００５６】
４        画像判定部
５        オーダー制御部
５ａ      オーダー登録部
５ｂ      プリント処理制御部
５ｃ      オーダーデータ削除部
５ｄ      残容量判定部
５ｅ      データ検索部
５ｆ      処理オーダー決定部
５ｇ      再演算部
５ｈ      処理時間設定部
５ｉ      仕上がり判定部
６        記憶装置
６ａ      スプーラ
６ｂ      記憶部
２０      受付端末
４０      記録装置
１００    写真処理装置
【図１】
2007090829.tif 000003
【図２】
2007090829.tif 000004
【図３】
2007090829.tif 000005
【図４】
2007090829.tif 000006
【図５】
2007090829.tif 000007
【図６】
2007090829.tif 000008